(57)【要約】【課題】本発明の実施形態は、利用者の使用状況や系統状態に応じて多面構成の連結表示装置の輝度調整制御を可能とする連結表示システムを提供することを目的とする。【解決手段】  本実施形態の連結表示システムは、電力系統の操作情報が入力される操作手段と、固有のアドレスが割り当てられたコントローラによって制御される表示手段を複数連結して構成し、電力系統の系統状態を示す状態情報または電気量の計測値を示す計測情報を表示する連結表示手段と、前記操作手段に入力された前記操作情報と事前に設定された前記コントローラの固有のアドレスとに基づいて、前記連結表示手段の輝度を制御する計算機と、を備える。【選択図】図１
2013138527.tif 000002
【特許請求の範囲】
【請求項１】
電力系統の操作情報が入力される操作手段と、
固有のアドレスが割り当てられたコントローラによって制御される表示手段を複数連結して構成し、電力系統の系統状態を示す状態情報または電気量の計測値である計測情報を表示する連結表示手段と、
前記操作情報と前記固有のアドレスとに基づいて、前記連結表示手段の輝度を制御する計算機と、
を備える連結表示システム。
【請求項２】
前記操作手段を複数備え、
前記計算機は、各々の前記操作手段による操作履歴と前記固有のアドレスとに基づいて、前記連結表示手段の輝度を制御する
請求項１に記載の連結表示システム。
【請求項３】
前記計算機は、前記操作手段により操作が行われていない期間を示す操作履歴未更新時間と事前に設定された設定時間とを比較して、前記連結表示手段の輝度を事前に設定された設定輝度に制御する
請求項１または２に記載の連結表示システム。
【請求項４】
前記計算機は、前記操作情報と前記固有のアドレスとに基づいて、前記連結表示手段を構成する複数の前記表示手段のうち、事前に設定された前記表示手段の輝度を制御する
請求項１乃至３のいずれか１項に記載の連結表示システム。
【請求項５】
前記計算機は、電力系統に設置された電気機器の状態、前記連結表示システムを構成する機器の状態、または電気量の計測値を示す状態情報を取得し、取得した前記状態情報の変化を示す状態変化を算出し、算出した前記状態変化と前記操作履歴と前記固有のアドレスとに基づいて、前記連結表示手段の輝度を制御する
請求項１乃至４の何れか１項に記載の連結表示システム。
【請求項６】
前記計算機は、前記状態変化が無い期間を示す状態変化未更新時間と事前に設定された設定時間とを比較し、前記連結表示手段の輝度を事前に設定された輝度に制御する
請求項５に記載の連結表示システム。
【請求項７】
前記計算機は、前記状態変化と前記操作履歴と前記固有のアドレスとに基づいて、前記連結表示手段を構成する複数の前記表示手段のうち、事前に設定された前記表示手段の輝度を制御する請求項５または６に記載の連結表示システム。
【請求項８】
前記計算機は、前記表示手段に表示している表示画面を取得し、取得した前記表示画面毎に事前に設定された設定輝度に、前記表示手段の輝度を制御する
請求項１乃至７のいずれか１項に記載の連結表示システム。
【発明の詳細な説明】
【技術分野】
【０００１】
本発明の実施形態は、監視制御システム用の連結表示システムに関する。
【背景技術】
【０００２】
電力系統の監視制御システムにおいては、系統状態をマクロに監視する手段として、従来モザイク型監視盤が用いられていたが、近年ではDLP（Digital Light Processing）、LCD（Liquid Crystal Display）等の連結ディスプレイを採用した表示器による監視盤が用いられてきている。そうした連結の監視盤は消費電力が大きく、また定期部品交換や装置本体の定期交換によってランニングコストが高いものとなっており、長期使用のニーズに添えなくなっている。
【０００３】
また、地球温暖化によるCO2削減の観点から様々な機器の消費電力削減の技術が求められている。映像信号を映し出す表示器においては、消費電力を削減する手法として表示器の輝度を調整することによって消費電力を削減することが可能となっている。また、表示器においては、消費電力を削減することで装置の延命も可能となる。
【０００４】
従来の輝度制御方法としては、光センサの照度と表示制御ユニットにより最適な輝度を求め、求められた輝度に基づいて、バックライトの調光制御を行ない、低照度から高照度まで、照度の変化量が大きな周囲環境に応じて安定した自動調光制御を行なう手法や、情報処理装置から送信される映像信号の検出の有無に基づき表示画面の出力を調整する出力調整手法が考えられている。
【０００５】
しかし、これらの輝度制御方法は、単面としての表示器の輝度制御方法であるが、監視制御システムにおける連結表示装置は多面構成による表示器となっており、多面で構成される監視制御システムの連結表示装置には適応されていないという課題があった。
【０００６】
また監視制御システム用連結表示装置の運用形態としては、利用者が２４時間３６５日通して監視制御を行っており、常に多くの消費電力がかかることから連結表示装置による消費電力削減のため運用場面に応じた消費電力削減方法が必要となっている。
【先行技術文献】
【特許文献】
【０００７】
【特許文献１】特開２００３−２９２３９号公報
【発明の概要】
【発明が解決しようとする課題】
【０００８】
本発明の実施形態は、利用者の使用状況や系統状態に応じて多面構成の連結表示装置の輝度調整制御を可能とする連結表示システムを提供することを目的とする。
【課題を解決するための手段】
【０００９】
本実施形態の連結表示システムは、電力系統の操作情報が入力される操作手段と、固有のアドレスが割り当てられたコントローラによって制御される表示手段を複数連結して構成し、電力系統の系統状態を示す状態情報または電気量の計測値を示す計測情報を表示する連結表示手段と、前記操作手段に入力された前記操作情報と事前に割り当てられた前記コントローラの固有のアドレスとに基づいて、前記連結表示手段の輝度を制御する計算機と、を備える。
【図面の簡単な説明】
【００１０】
【図１】第１の実施形態の連結表示システム１の構成を示すブロック図。
【図２】第１の実施形態の連結表示装置４の構成を示す図。
【図３】第１の実施形態のコントローラ４１−ＭＮの構成を示すブロック図。
【図４】第１の実施形態の計算機３の構成を示すブロック図。
【図５】第１の実施形態の操作履歴記憶部３２に保存される操作履歴データの一例を示す図。
【図６】第１の実施形態の操作履歴設定記憶部３３に保存される操作履歴設定データの一例を示す図。
【図７】第１の実施形態の連結表示装置制御記憶部３５に保存される制御データの一例を示す図。
【図８】第１の実施形態の操作履歴監視手段３４の動作を示すフローチャート。
【図９】第１の実施形態の連結表示装置制御手段３６の動作を示すフローチャート。
【図１０】第２の実施形態の計算機３の構成を示すブロック図。
【図１１】第２の実施形態の状態変化記憶部３８に保存される状態変化データの一例を示す図。
【図１２】第２の実施形態の状態変化設定記憶部３９に保存される状態変化設定データの一例を示す図。
【図１３】第２の実施形態の状態変化監視手段４０の動作を示すフローチャート。
【図１４】第３の実施形態の計算機３の構成を示すブロック図。
【図１５】第３の実施形態の操作履歴設定記憶部３３−３に保存される操作履歴設定データの一例を示す図。
【図１６】第３の実施形態の状態変化設定記憶部３９−３に保存される状態変化設定データの一例を示す図。
【図１７】第３の実施形態の連結表示装置制御手段３６−３の動作を示すフローチャート。
【図１８】第４の実施形態の計算機３の構成を示すブロック図。
【図１９】第４の実施形態の表示画面記憶部４２に保存される表示画面データの一例を示す図。
【図２０】第４の実施形態の表示画面対象記憶部４３に保存される表示画面対象データの一例を示す図。
【図２１】第４の実施形態の表示画面監視手段４４の動作を示すフローチャート。
【図２２】第４の実施形態の連結表示装置制御手段３６−４の動作を示すフローチャート。
【発明を実施するための形態】
【００１１】
本発明の実施形態に係る、連結表示システムについて、図面を参照して説明する。
【００１２】
（第１の実施形態）
（構成）
本実施形態における連結表示システム１について図１乃至３を用いて説明する。図１は、連結表示システム１の構成を示すブロック線図である。連結表示システム１は、操作卓２−１〜２−ｎ、計算機３、および連結表示装置４から構成される。
【００１３】
操作卓２−１〜２−ｎは、計算機３と接続しており、利用者が操作卓２−１〜２−ｎに入力した電力系統の操作（以下、系統操作と呼ぶ）に基づく操作情報を、計算機３に出力する。
【００１４】
計算機３は、操作卓２−１〜２−ｎから出力される操作情報に基づいて、連結表示装置４の表示内容、および連結表示装置４の輝度を制御する。
【００１５】
連結表示装置４は、複数の表示器が連結されて構成され、電力系統の監視制御情報の状態を示す状態情報（遮断器の「開状態」「閉状態」等の２値情報）、計測情報（電気量等の数値情報）等を表示する（以下、この連結表示装置４により表示される内容を表示内容と呼ぶ。）。そして、計算機３によって表示内容、および輝度が制御される。
【００１６】
以降、計算機３が操作卓２−１〜２−ｎから出力された操作情報に基づいた表示内容を、連結表示装置４に表示させる技術については周知の技術であるため説明は省略し、連結表示装置４の輝度を制御する実施形態について説明する。
【００１７】
次に、連結表示システム１を構成する連結表示装置４および計算機３の詳細な内部構成について図２乃至図４を用いて説明する。
【００１８】
（連結表示装置４の説明）
連結表示装置４の構成について図２を用いて説明する。連結表示装置４は、複数の表示器４−１１〜４−ＭＮが連結されて構成される。この連結表示装置４を構成する表示器４−１１〜４−ＭＮの各々は、固有のＩＰアドレスを持つコントローラ４１−１１〜４１−ＭＮに接続し、このコントローラ４１−１１〜４１−ＭＮによって表示する内容や輝度が制御されている。なお、この連結表示装置４を構成する表示器４−１１〜４−ＭＮをマトリックスに構成しているが、任意の構成形態においても適応可能である。
【００１９】
次に、コントローラ４１−１１〜４１−ＭＮについて図３を用いて説明する。複数あるコントローラの何れの構成も同様であるため、代表として表示器４−ＭＮに接続されたコントローラ４１−ＭＮについて説明する。コントローラ４１−ＭＮは、表示器状態読込手段４１１、表示器状態出力手段４１２、表示器制御読込手段４１３、および表示器制御出力手段４１４から構成される。
【００２０】
表示器状態読込手段４１１は、表示器４−ＭＮと接続しており、表示器４−ＭＮが表示している表示内容、輝度等の状態情報を受け取る。
【００２１】
表示器状態出力手段４１２は、計算機３と接続しており、表示器状態読込手段４１１にて受け取った状態情報を計算機３に出力する。
【００２２】
表示器制御読込手段４１３は、計算機３と接続しており、計算機３から出力された制御情報を受け取る。
【００２３】
表示器制御出力手段４１４は、表示器４−ＭＮと接続しており、表示器制御読込手段４１３にて受け取った制御情報に基づいて、表示器４−ＭＮの表示内容および輝度を制御する。
【００２４】
（計算機３の説明）
計算機３の構成について図４を用いて説明する。計算機３は操作履歴更新手段３１、操作履歴記憶部３２、操作履歴設定記憶部３３、操作履歴監視手段３４、連結表示装置制御記憶部３５、および連結表示装置制御手段３６を備える。
【００２５】
次に、計算機３が備える各構成について図５乃至図７を用いて説明する。
【００２６】
操作履歴更新手段３１は、操作卓２−１〜２−ｎと接続しており、操作卓２−１〜２−ｎから出力された操作情報を受信し、受信した操作情報に基づいて、未更新時間を算出する。ここでの未更新時間は、利用者が操作卓２−１〜２−ｎを操作していない時間を示し、操作情報を受信した際に未更新時間はゼロ値にリセットされる。
【００２７】
操作履歴記憶部３２は、操作履歴更新手段３１により算出された未更新時間を含む操作履歴データが保存されている。この操作履歴記憶部３２に保存される操作履歴データの一例を図５に示す。操作履歴データは、例えば操作卓２−１の未更新時間は６０秒であり、操作卓２−ｎの未更新時間は３００秒であることを示している。つまり、利用者が操作卓２−１を操作していない時間が６０秒であり、操作卓２−ｎを操作していない時間が３００秒である。
【００２８】
操作履歴設定記憶部３３は、各々の操作卓２−１〜２−ｎ毎に事前に設定された設定時間および設定輝度を含む操作履歴設定データが保存されている。この操作履歴設定記憶部３３に保存されている操作履歴設定データの一例を図６に示す。操作履歴設定データは、例えば操作卓２−１の未更新時間が６０秒以上〜１２０秒未満であれば、連結表示装置４の輝度を９０％に設定し、１２０秒以上〜２４０秒未満であれば、連結表示装置４の輝度を５０％に設定し、２４０秒以上であれば、連結表示装置４の輝度を３０％に設定するためのデータである。ここで、操作履歴データに保存されている未更新時間が、操作履歴設定データに保存されている未更新時間に該当しない場合（例えば、操作卓２−１の未更新時間が６０秒未満の場合）には、連結表示装置４の輝度を１００％に設定してもよい。
【００２９】
操作履歴監視手段３４は、操作履歴記憶部３２に保存された操作履歴データと、操作履歴設定記憶部３３に保存された操作履歴設定データとに基づいて、操作履歴監視情報を連結表示装置制御手段３６に出力する。ここで出力する操作履歴監視情報は、操作卓No.および設定輝度を含む。
【００３０】
連結表示装置制御記憶部３５は、表示器４−１１〜４−ＭＮと、表示器４−１１〜４−ＭＮ夫々に接続するコントローラ４１−１１〜４１〜ＭＮに対応するＩＰアドレス、を含む制御データが保存されている。この連結表示装置制御記憶部３５に保存される制御データの一例を図７に示す。制御データは、例えば表示器４−１１に接続するコントローラ４１−１１のＩＰアドレスは123.234.345.456であることを示している。
【００３１】
連結表示装置制御手段３６は、操作履歴監視手段３４から出力される操作履歴監視情報と、連結表示装置制御記憶部３５に保存される制御データとに基づいて、連結表示装置４の各コントローラ４１−１１〜４１−ＭＮに対して制御情報を出力する。ここで出力する制御情報は、ＩＰアドレスと設定輝度を含む。
【００３２】
ここで、操作履歴更新手段３１、操作履歴監視手段３４、および連結表示装置制御手段３６は、図示しないＣＰＵ等により実行されるプログラムで実現され、ＨＤＤ、ＳＳＤ、ＲＡＭ等のプログラムメモリに保存されている。また、操作履歴記憶部３２、操作履歴設定記憶部３３、および連結表示装置制御記憶部３５は、ＨＤＤ、ＳＳＤ、ＲＡＭ等の記憶媒体により実現される。
【００３３】
（作用）
次に、連結表示システム１の作用について図８および図９を用いて説明する。
【００３４】
図８は、操作履歴記憶部３２からデータを取得し、連結表示装置制御手段３６へ操作履歴監視情報を出力するまでの操作履歴監視手段３４の作用を示すフローチャートである。このフローチャートは下記のステップを備える。
【００３５】
＜操作履歴監視手段３４のフローチャート＞
・各操作卓２−１〜２−ｎの未更新時間を含み、操作履歴記憶部３２に保存された操作履歴データを取得するステップ（Ｓ３４１）。
【００３６】
・各操作卓２−１〜２−ｎ毎に事前に設定された設定時間および設定輝度を含み、操作履歴設定記憶部３３に保存された操作履歴設定データを取得するステップ（Ｓ３４２）。
【００３７】
・操作履歴データを取得するステップ（Ｓ３４１）により取得した未更新時間と、操作履歴設定データを取得するステップ（Ｓ３４２）により取得した設定時間とを比較し、各操作卓２−１〜２−ｎの未更新時間が設定時間以上か否かを判断するステップ（Ｓ３４３）。
【００３８】
・未更新時間が設定時間以上か否かを判断するステップ（Ｓ３４３）により、操作卓２−１〜２−ｎのいずれかの未更新時間が設定時間以上であると判断された場合（Ｓ３４３のＹＥＳ）、操作卓No.および設定輝度を含む操作履歴監視情報を作成するステップ（Ｓ３４４）。
【００３９】
・操作履歴監視情報を作成するステップ（Ｓ３４４）で作成した操作履歴監視情報を、連結表示装置制御手段３６に対して出力するステップ（Ｓ３４５）。
【００４０】
・操作履歴監視情報を出力するステップ（Ｓ３４５）出力された場合、または未更新時間が設定時間以上か否かを判断するステップ（Ｓ３４３）により、操作卓２−１〜２−ｎのいずれかの未更新時間が設定時間以上ではない判断された場合（Ｓ３４３のＮＯ）、事前に設定された保持時間の間保持するステップ（Ｓ３４６）
以上、操作履歴監視手段３４の作用を示すフローチャートが備えるステップについて記した。ここでの、保持時間の間保持するステップ（Ｓ３４６）後は、操作履歴を取得するステップ（Ｓ３４１）へ戻り、各ステップが繰り返し実行される。
【００４１】
図９は、操作履歴監視手段３４から操作履歴監視情報を受信してから連結表示装置４へ制御情報を出力するまでの連結表示装置制御手段３６の作用を示すフローチャートである。連結表示装置制御手段３６のフローチャートは、下記のステップを備える。
【００４２】
＜連結表示装置制御手段３６のフローチャート＞
・操作履歴監視手段３４から操作履歴監視情報を受信したか否かを判断するステップ（Ｓ３６１）。
【００４３】
・操作履歴監視情報を受信したか否かを判断するステップ（Ｓ３６１）により操作履歴監視情報を操作履歴監視手段３４から受信したと判断した場合（Ｓ３６１のＹＥＳ）、各表示器４−１１〜４−ＭＮのコントローラ４１−１１〜４１−ＭＮのＩＰアドレスを含み、連結表示装置制御記憶部３５に保存された制御データを取得するステップ（Ｓ３６２）。
【００４４】
・操作履歴監視情報に含まれる設定輝度および制御データにふくまれるＩＰアドレスに基づいて、連結表示装置４の制御情報を作成するステップ（Ｓ３６３）。
【００４５】
・制御情報を作成するステップ（Ｓ３６３）により作成された制御情報を、表示器４−１１〜４−ＭＮのコントローラ４１−１１〜４１−ＭＮに対して出力するステップ（Ｓ３６４）。ここ出力される制御情報は、表示器４−１１〜４−ＭＮのコントローラ４１−１１〜４１−ＭＮを示すＩＰアドレスおよび、設定輝度を含む。
【００４６】
・制御情報を出力するステップ（Ｓ３６４）により表示器４−１１〜４−ＭＮのコントローラ４１−１１〜４１−ＭＮに対して、制御情報を出力した場合、または操作履歴監視情報を受信したか否かを判断するステップ（Ｓ３６１）により操作履歴監視情報を操作履歴監視手段３４から受信していないと判断した場合（Ｓ３６１のＮＯ）、事前に設定された保持時間の間保持するステップ（Ｓ３６５）。
【００４７】
以上、連結表示装置制御手段３６の作用を示すフローチャートが備えるステップについて記した。ここでの、事前に設定された保持時間の間保持するステップ（Ｓ３６５）後は、操作履歴監視情報を受信したか否かを判断するステップ（Ｓ３６１）へ戻り、各ステップが繰り返し実行される。
【００４８】
そして、計算機３の連結表示装置制御手段３６から、表示器４−１１〜４−ＭＮの制御通知を受信した場合、コントローラ４１−１１〜４１−ＭＮの表示制御読込手段４１３は、制御情報にふくまれる設定輝度を取得する。さらに、表示器制御出力手段４１４が取得した設定輝度に基づいて表示器４−１１〜４−ＭＮの輝度を制御する。
【００４９】
（効果）
本実施形態によれば、連結表示装置４を構成する表示器４−１１〜４−ＭＮに接続するコントローラ４１−１１〜４１−ＭＮのＩＰアドレスを指定して制御することによって、利用者が操作卓２−１〜２−ｎにおいて設定時間の間、操作を行わない場合には連結表示装置４の輝度を低く制御することが可能である。
【００５０】
また、表示器４−１１〜４−ＭＮに接続するコントローラ４１−１１〜４１−ＭＮにより制御するため、各々の表示器４−１１〜４−ＭＮを別々の輝度に設定することも可能であるため、表示器４−１１〜４−ＭＮに応じた輝度制御を行うことが可能となる。したがって、より省電力な連結表示システムを提供できる。
【００５１】
また、常時輝度を一定にする運用状態より、本実施形態のように低輝度状態を自動制御する運用状態の方が、連結表示装置４の延命化を可能とすることができる。
【００５２】
（第２の実施形態）
（構成・作用）
第２の実施形態における構成および作用について図１０乃至図１３を用いて説明する。
【００５３】
図１０は、第２の実施形態の連結表示システム１の計算機３の構成を示すブロック線図である。第１の実施形態と同一の構成には同一の符号を付し、重複する説明は省略する。
【００５４】
この第２の実施形態は、第１の実施形態の計算機３に、状態変化更新手段３７、状態変化記憶部３８、状態変化設定記憶部３９、および状態変化監視手段４０を追加し、連結表示装置制御手段３６を連結表示装置制御手段３６−２に代えた構成である。
【００５５】
状態変化更新手段３７は、電力系統に設置された電気機器の状態、連結表示システム１を構成する各機器の状態、電気量の計測値（以下、電気機器の状態および電気量の計測値を併せて状態情報と呼ぶ）を受信し、受信した状態情報に基づいて、未更新時間を算出する。ここでの未更新時間は、前回、状態情報に変化（以下、状態変化と呼ぶ）があった時間から現在までの時間を示し、状態変化があった際に未更新時間はゼロ値にリセットされる。ここで、状態変化とは、例えば電力系統監視制御システムにおいては、系統情報の状態に変化が発生した場合の系統変化履歴や、電力系統監視制御システムを構成する計算機、装置などの構成機器が故障した際のシステム故障などが当たる。
【００５６】
状態変化記憶部３８は、状態変化更新手段３７により算出された未更新時間を含む状態変化データが保存されている。この状態変化記憶部３８に保存される状態変化データの一例を図１１に示す。状態変化データは、例えば状態変化１の未更新時間は６０秒であり、状態変化ｎの未更新時間は３００秒であることを示している。つまり、状態変化１が発生していない時間が６０秒であり、状態変化ｎが発生していない時間が３００秒である。
【００５７】
状態変化設定記憶部３９は、各々の状態変化１〜ｎ毎に事前に設定された設定時間および設定輝度を含む状態変化設定データが保存されている。この状態変化設定記憶部３９に保存されている状態変化設定データの一例を図１２に示す。状態変化設定データは、例えば状態変化１の未更新時間が６０秒以上〜１２０秒未満であれば、連結表示装置４の輝度を９０％に設定し、１２０秒以上〜２４０秒未満であれば、連結表示装置４の輝度を５０％に設定し、２４０秒以上であれば、連結表示装置４の輝度を３０％に設定するためのデータである。
【００５８】
状態変化監視手段４０は、状態変化記憶部３８に保存された状態変化データと、状態変化設定記憶部３９に保存された状態変化設定データとに基づいて、状態変化監視情報を連結表示装置制御手段３６−２に出力する。ここで出力する状態変化監視情報は、状態変化No.および設定輝度を含む。
【００５９】
連結表示装置制御手段３６−２は、操作履歴監視手段３４から出力される操作履歴監視情報と、状態変化監視手段４０から出力される状態変化監視情報と、連結表示装置制御記憶部３５に保存される制御データとに基づいて、連結表示装置４の各コントローラ４１−１１〜４１−ＭＮに対して制御情報を出力する。ここで出力する制御情報は、ＩＰアドレスと設定輝度を含む。
【００６０】
図１３は、状態変化記憶部３８から状態変化データ取得し、連結表示装置制御手段３６−２に対して状態変化監視情報を出力するまでの状態変化監視手段４０の動作を示すフローチャートである。この状態変化監視手段４０のフローチャートは、下記のステップを備える。
【００６１】
＜状態変化監視手段４０のフローチャート＞
・状態変化の未更新時間を含み、状態変化記憶部３８に保存された状態変化データを取得するステップ（Ｓ４０１）。
【００６２】
・各状態変化１〜ｎに事前に設定された設定時間および設定輝度を含み、状態変化設定記憶部３９に保存された状態変化設定データを取得するステップ（Ｓ４０２）。
【００６３】
・状態変化データを取得するステップ（Ｓ４０１）により取得した未更新時間と、状態変化設定データを取得するステップ（Ｓ４０２）により取得した設定時間とを比較し、各状態変化１〜ｎの未更新時間が設定時間以上か否かを判断するステップ（Ｓ４０３）。
【００６４】
・未更新時間が設定時間以上か否かを判断するステップ（Ｓ４０３）により、状態変化１〜ｎのいずれかの未更新時間が設定時間以上であると判断された場合（Ｓ４０３のＹＥＳ）、状態変化No.および設定輝度を含む状態変化監視情報を作成するステップ（Ｓ４０４）。
【００６５】
・状態変化監視情報を作成するステップ（Ｓ４０４）で作成した状態変化監視情報を、連結表示装置制御手段３６−２に対して出力するステップ（Ｓ４０５）。
【００６６】
・状態変化監視情報を出力するステップ（Ｓ４０５）で出力された場合、または未更新時間が設定時間以上か否かを判断するステップ（Ｓ４０３）により、状態変化１〜ｎのいずれかの未更新時間が設定時間以上ではない判断された場合（Ｓ４０３のＮＯ）、事前に設定された保持時間の間保持するステップ（Ｓ４０６）
以上、状態変化監視手段４０の作用を示すフローチャートが備えるステップについて記した。ここでの、保持時間の間保持するステップ（Ｓ４０６）後は、状態変化を取得するステップ（Ｓ４０１）へ戻り、各ステップが繰り返し実行される。
【００６７】
連結表示装置制御手段３６−２の動作について、第１の実施形態に示した動作と異なる点は、操作履歴監視手段３４からの操作履監視情報だけではなく、状態変化監視手段４０からの状態変化監視情報にも基づいて、連結表示装置４の輝度を制御するための制御情報を、表示器４−１１〜４−ＭＮに接続するコントローラ４１−１１〜４１−ＭＮに対して出力する点である。
【００６８】
（効果）
本実施形態によれば、第１の実施形態の効果に加え、連結表示システム１において状態変化が設定時間発生しない状況であれば輝度を落とす制御が可能であり、更なる連結表示システム用連結表示装置の延命化と省エネを実現することが可能となる。
【００６９】
（第３の実施形態）
（構成・作用）
第３の実施形態における構成および作用について図１４乃至図１７を用いて説明する。
【００７０】
図１４は、第３の実施形態の連結表示システム１の計算機３の構成を示すブロック線図である。第１の実施形態と同一の構成には同一の符号を付し、重複する説明は省略する。
【００７１】
本実施形態が第２の実施形態と異なる点は、操作履歴設定記憶部３３、操作履歴監視手段３４、状態変化設定記憶部３９、状態変化監視手段４０、および連結表示装置制御手段３６の夫々に代えて、操作履歴設定記憶部３３−３、操作履歴監視手段３４−３、状態変化設定記憶部３９−３、状態変化監視手段４０−３、および連結表示装置制御手段３６−３を備える点である。
【００７２】
操作履歴設定記憶部３３−３について図１５を用いて説明する。図１５は、操作履歴設定記憶部３３−３に保存される操作履歴設定データの一例を示している。操作履歴設定記憶部３３−３に保存される操作履歴設定データは、第２の実施形態の操作履歴設定データに対して、輝度制御を行う先を示す対象表示器の情報を付加している。
【００７３】
操作履歴監視手段３４−３の動作が、第２の実施形態に示す操作履歴監視手段３４と異なる点は、操作履歴設定記憶部３３−３から設定時間および設定輝度に加えて対象表示器の情報を操作履歴設定データから取得し、設定輝度および操作卓No.に加えて対象表示器の情報を含む操作履歴監視情報を作成する点である。
【００７４】
状態変化設定記憶部３９−３について図１６を用いて説明する。図１６は、状態変化設定記憶部３９−３に保存される状態変化設定データの一例を示している。状態変化設定記憶部３９−３に保存される状態変化設定データは、第２の実施形態の状態変化設定データに対して、輝度制御を行う先を示す対象表示器の情報を付加している。
【００７５】
状態変化監視手段４０−３の動作が、第２の実施形態に示す状態変化監視手段４０と異なる点は、状態変化設定記憶部３９−３から設定時間および設定輝度に加えて対象表示器の情報を状態変化設定データから取得し、設定輝度および操作卓No.に加えて対象表示器の情報を含む状態変化監視情報を作成する点である。
【００７６】
図１７を用いて連結表示装置制御手段３６−３を説明する。図１７は、連結表示装置制御手段３６−３の動作を示すフローチャートであり、下記ステップを備える。
【００７７】
＜連結表示装置制御手段３６−３のフローチャート＞
・操作履歴監視手段３４または状態変化監視手段４０から、操作履歴監視情報または状態変化監視情報を受信したか否かを判断するステップ（Ｓ３６１−３）。
【００７８】
・操作履歴監視情報または状態変化監視情報を受信したか否かを判断するステップ（Ｓ３６１−３）により、受信したと判断した場合（Ｓ３６１−３のＹＥＳ）、操作履歴監視情報または状態変化監視情報に含まれる対象表示器に対応する制御データを連結表示装置制御記憶部３５から取得するステップ（Ｓ３６２−３）。
【００７９】
・操作履歴監視情報または状態履歴監視情報に含まれる設定輝度、対象表示器の情報、および制御データにふくまれるＩＰアドレスに基づいて、連結表示装置４の制御情報を作成するステップ（Ｓ３６３−３）。
【００８０】
・制御情報を作成するステップ（Ｓ３６３−３）により作成された制御情報を、対象表示器のコントローラに対して出力するステップ（Ｓ３６４−３）。ここで出力される制御情報は、対象表示器のコントローラを示すＩＰアドレスおよび、設定輝度を含む。
【００８１】
・制御情報を出力するステップ（Ｓ３６４−３）により対象表示器のコントローラに対して、制御情報を出力した場合、または操作履歴監視情報または状態変化履歴監視情報を受信したか否かを判断するステップ（Ｓ３６１−３）により受信していないと判断した場合（Ｓ３６１−３のＮＯ）、事前に設定された保持時間の間保持するステップ（Ｓ３６５−３）。
【００８２】
以上、連結表示装置制御手段３６−３の作用を示すフローチャートが備えるステップについて記した。ここでの、事前に設定された保持時間の間保持するステップ（Ｓ３６５−３）後は、操作履歴監視情報をまたは状態変化監視情報を受信したか否かを判断するステップ（Ｓ３６１−３）へ戻り、各ステップが繰り返し実行される。
【００８３】
（効果）
本実施形態によれば、第２の実施形態の効果に加え、操作履歴設定データおよび状態変化設定データに対象表示器の情報を設定することで、連結表示装置４の任意の表示器４−１１〜４−ＭＮの輝度が制御可能となる。ここで、連結表示装置４の表示器４−１１〜４−ＭＮをすべて対象（ALL）とすることで、連結表示装置４を一括して輝度調整できる。つまり、操作履歴設定記憶部３３−２または状態変化設定記憶部３９−２にてグループ分けされた対象表示器毎に輝度を制御することが可能であるため、連結表示装置４の輝度のさらなる抑制が可能である。
【００８４】
（第４の実施形態）
（構成・作用）
図１８は、本発明における第４の実施形態の構成を示すブロック線図である。第３の実施形態と同一の構成には同一の符号を付し、重複する説明は省略する。本実施形態が第３の実施形態と異なる点は、計算機３に表示画面更新手段４１、表示画面記憶部４２、表示画面対象記憶部４３、および表示画面監視手段４４を付加し、連結表示装置制御手段３６−３に代えて連結表示制御手段３６−４を備えた点である。
【００８５】
表示画面更新手段４１は、操作卓２−１〜２−Ｎおよび表示器４−１１〜４−ＭＮの表示器状態出力手段４１２（図３に記載）に接続しており、操作卓２−１〜２−Ｎおよび表示器４−１１〜４−ＭＮに現在表示されている表示画面を取得する。さらに、取得した表示画面を、表示画面データとして表示画面記憶部４２に出力する。ここで出力される表示画面データには表示画面と共に、表示画面を表示している対象画面の情報が含まれる。
【００８６】
表示画面記憶部４２は、表示画面更新手段４１と接続しており、表示画面更新手段４１から出力された表示画面データが保存されている。図１９は、表示画面更新手段４１に保存されている表示画面データの一例を示したものである。この表示画面データには、対象画面および表示画面が保存されている。ここで、例えば操作卓２−１にはシステムの故障を示すシステム故障画面が表示されており、表示器４−１１には電気所Ａが表示されていることを示している。
【００８７】
表示画面記憶部４３は、表示画面監視手段４４に接続しており、表示画面対象データが保存されている。図２０は、表示画面対象データの一例を示したものであり、表示画面、設定輝度、対象表示器の情報を含む。ここで、システムの故障等を表す画面（以下、３０Ｆと呼ぶ）が表示されている表示画面のうち、対象表示器の輝度を１００％に設定することを示し、システム監視が表氏されている表示画面は輝度を制御しないことを示している。
【００８８】
表示画面監視手段４４は、表示画面記憶部４２および表示画面対象記憶部４３と接続し、画面監視情報を連結表示装置制御手段３６−４に出力する。図２１は、表示画面監視手段４４が連結表示装置制御手段３６−４へ画面監視情報を出力するまでの動作を示すフローチャートである。表示画面監視手段４４のフローチャートは下記のステップを備える。
【００８９】
＜表示画面監視手段４４のフローチャート＞
・対象画面が現在表示している表示画面の情報を含み、表示画面記憶部４２に保存された表示画面データを取得するステップ（Ｓ４４１）。
【００９０】
・表示画面毎に事前に設定された設定輝度および対象表示器を含み、表示画面対象記憶部４３に保存された表示画面対象データを取得するステップ（Ｓ４４２）。
【００９１】
・表示画面データを取得するステップ（Ｓ４４１）により取得した表示画面と、表示画面対象データを取得するステップ（Ｓ４４２）により取得した設定輝度および対象表示器から画面監視情報を作成するステップ（Ｓ４４３）。
【００９２】
・画面監視情報を作成するステップ（Ｓ４４３）で作成した画面監視情報を出力するステップ（Ｓ４４４）。
【００９３】
・事前に設定された保持時間の間保持するステップ（Ｓ４４５）。
【００９４】
以上、表示画面監視手段４４の作用を示すフローチャートが備えるステップについて記した。ここでの、事前に設定された保持時間の間保持するステップ（Ｓ４４５）後は、表示画面データを取得するステップ（Ｓ４４１）へ戻り、各ステップが繰り返し実行される。
【００９５】
連結表示装置制御手段３６−４について図２２を用いて説明する。図２２は、連結表示装置制御手段３６−４の動作を示すフローチャートであり、下記ステップを備える。
【００９６】
＜連結表示装置制御手段３６−４のフローチャート＞
・操作履歴監視手段３４、状態変化監視手段４０、および表示画面監視手段４４の何れかから、操作履歴監視情報、状態変化監視情報、および画面監視情報の何れかを受信したか否かを判断するステップ（Ｓ３６１−４）。
【００９７】
・操作履歴監視情報、状態変化監視情報、および画面監視情報の何れかを受信したか否かを判断するステップ（Ｓ３６１−４）により、受信したと判断した場合（Ｓ３６１−４のＹＥＳ）、操作履歴監視情報、状態変化監視情報、および画面監視情報の何れかに含まれる対象表示器に対応する制御データを連結表示装置制御記憶部３５から取得するステップ（Ｓ３６２−４）。
【００９８】
・操作履歴監視情報、状態履歴監視情報、および画面監視情報の何れかに含まれる設定輝度、対象表示器の情報、および制御データにふくまれるＩＰアドレスに基づいて、連結表示装置４の制御情報を作成するステップ（Ｓ３６３−４）。
【００９９】
・制御情報を作成するステップ（Ｓ３６３−４）により作成された制御情報を、対象表示器のコントローラに対して出力するステップ（Ｓ３６４−４）。ここで出力される制御情報は、対象表示器のコントローラを示すＩＰアドレスおよび、設定輝度を含む。
【０１００】
・制御情報を出力するステップ（Ｓ３６４−４）により対象表示器のコントローラに対して、制御情報を出力した場合、または操作履歴監視情報、状態変化履歴監視情報、および画面監視情報の何れかを受信したか否かを判断するステップ（Ｓ３６１−４）により受信していないと判断した場合（Ｓ３６１−４のＮＯ）、事前に設定された保持時間の間保持するステップ（Ｓ３６５−４）。
【０１０１】
以上、連結表示装置制御手段３６−４の作用を示すフローチャートが備えるステップについて記した。ここでの、事前に設定された保持時間の間保持するステップ（Ｓ３６５−４）後は、操作履歴監視情報、状態変化監視情報、および画面監視情報の何れかを受信したか否かを判断するステップ（Ｓ３６１−４）へ戻り、各ステップが繰り返し実行される。
【０１０２】
（効果）
本実施形態よれば、監視制御システムにおける連結表示装置４の輝度制御対象である表示器４−１１〜４−ＭＮの輝度について、表示されている表示画面に応じた輝度制御を可能する。したがって、対象画面に表示されている表示画面の重要度に応じて輝度制御することができ、利用者によるスムーズな運用が可能となる。
【０１０３】
なお、本発明の実施形態の計算機３と連結表示装置４はＬＡＮを介して接続しても良い。さらに、このＬＡＮがＷＡＮを介して第２の連結表示装置を接続してもよい。このような構成とし、本実施形態の連結表示装置４が備える各記憶部に対して第２の連結表示装置の情報を含ませることによって、第２の連結表示装置の輝度制御が可能となる。なお、LAN・WANとしているが他の伝送形態、伝送プロトコルにおいても適用可能である。
【０１０４】
また、本発明の実施形態の計算機３を複数備え、多重化した構成としてもよい。連結表示装置４を制御する計算機３を多重化させることで、一つの計算機で不具合が発生した場合でも他の計算機でバックアップを行い、継続した運用が可能となる。
【０１０５】
さらに、本発明の実施形態の計算機３が備える各記憶部に事前に設定された値を変更可能とする変更手段として、キーボードまたはマウス等の入力部を備えても良い。また、これらの設定された値を表示させる表示手段として、ＣＲＴ、ＬＣＤ等を備えても良い。
【０１０６】
本発明に係る実施形態によれば、利用者の使用状況や系統状態に応じて多面構成の連結表示装置の輝度調整制御を可能とする連結表示システムを提供することが可能となる。
【０１０７】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【０１０８】
１…連結表示システム
２−１、２−ｎ…操作卓
３…計算機
３１…操作履歴更新手段
３２…操作履歴記憶部
３３、３３−３…操作履歴設定記憶部
３４…操作履歴監視手段
３５…連結表示装置制御記憶部
３６、３６−２、３６−３、３６−４…連結表示装置制御手段
３７…状態変化更新手段
３８…状態変化記憶部
３９、３９−３…状態変化設定記憶部
４０…状態変化監視手段
４１…表示画面更新手段
４２…表示画面記憶部
４３…表示画面対象記憶部
４４…表示画面監視手段
４…連結表示装置
４−１１〜４−ＭＮ…表示器
４１−１１〜４１−ＭＮ…コントローラ
４１１…表示器状態読込手段
４１２…表示器状態出力手段
４１３…表示器制御読込手段
４１４…表示器制御出力手段
【図１】
2013138527.tif 000003
【図２】
2013138527.tif 000004
【図３】
2013138527.tif 000005
【図４】
2013138527.tif 000006
【図５】
2013138527.tif 000007
【図６】
2013138527.tif 000008
【図７】
2013138527.tif 000009
【図８】
2013138527.tif 000010
【図９】
2013138527.tif 000011
【図１０】
2013138527.tif 000012
【図１１】
2013138527.tif 000013
【図１２】
2013138527.tif 000014
【図１３】
2013138527.tif 000015
【図１４】
2013138527.tif 000016
【図１５】
2013138527.tif 000017
【図１６】
2013138527.tif 000018
【図１７】
2013138527.tif 000019
【図１８】
2013138527.tif 000020
【図１９】
2013138527.tif 000021
【図２０】
2013138527.tif 000022
【図２１】
2013138527.tif 000023
【図２２】
2013138527.tif 000024